(57)【要約】【課題】医療用薬液バッグの薬液を人体に輸入するための携帯型医療用輸液装置を提供すること。【解決手段】本発明によれば、医療用薬液バッグ挿入ポートと少なくとも一つの液体排出ポートとを有するケース、及びこのケースに連結された、医療用薬液バッグ挿入ポートを選択的に開閉する蓋を含む容器と、この容器内で移動可能に設置された押し板であって、第一位置と第二位置との間で移動可能であり、第一位置に位置すると、医療用薬液バッグを収納可能な空間が形成され、第二位置に移動すると、この空間が最小の体積に縮減される押し板と、この押し板と係合するように作動して、押し板を移動するのに必要なパワーを供給するパワー供給ユニットと、容器上に設置されて、押し板を第一位置にロックしたり、このロックを解除するように操作されるロック及びロック解除部材とを有する携帯型医療用輸液装置が提供される。【選択図】図５
2006346436.tif 000002
【特許請求の範囲】
【請求項１】
医療用薬液バッグ挿入ポートと少なくとも一つの液体排出ポートとを有するケース、及び前記ケースに連結され、前記医療用薬液バッグ挿入ポートを選択的に開閉する蓋を含む容器と、
前記容器内に移動可能に設置された押し板であって、第一位置と第二位置との間で移動可能であり、第一位置に位置すると、医療用薬液バッグを収納可能な空間が形成され、第二位置に移動すると、前記空間が最小の体積に縮減される押し板と、
前記押し板と係合するように作動して、該押し板を移動するのに必要なパワーを供給するパワー供給ユニットと、
前記容器上に設置されて、前記押し板を前記第一位置にロックしたり、該ロックを解除するように操作されるロック及びロック解除部材と
を有する携帯型医療用輸液装置。
【請求項２】
前記パワー供給ユニットは、少なくとも螺旋バネからなるバネセットを一組含むことを特徴とする請求項１に記載の携帯型医療用輸液装置。
【請求項３】
前記ケースは、前記押し板を第二位置にストップするためのストッパ部材をさらに有することを特徴とする請求項１に記載の携帯型医療用輸液装置。
【請求項４】
前記ケースは、一つの底部及び四つの壁部からなる、上部開口部を備えたケースであり、該上部開口部は即ち前記医療用薬液バッグ挿入ポートであることを特徴とする請求項２に記載の携帯型医療用輸液装置。
【請求項５】
前記ケースの底部には、少なくとも一つの螺旋バネの一端と係合するための第一バネ固定部材が少なくとも設置され、前記押し板の底面には、該少なくとも一つの螺旋バネの他端と係合するための第二バネ固定部材が少なくとも設置されていることを特徴とする請求項４に記載の携帯型医療用輸液装置。
【請求項６】
前記ストッパ部材が、前記押し板を第二位置にストップしたときに押し板の表面とケースにおける壁部の頂面とを揃えるよう設計されていることを特徴とする請求項４に記載の携帯型医療用輸液装置。
【請求項７】
前記ケースが第一止着具をさらに有し、前記蓋が第二止着具をさらに有し、
前記蓋で前記医療用薬液バッグ挿入ポートを閉める際、前記第一止着具と前記第二止着具とを互いに係合させることにより、蓋がケースと緊密に固定されることを特徴とする請求項１に記載の携帯型医療用輸液装置。
【発明の詳細な説明】
【技術分野】
【０００１】
本発明は、医療装置に関し、特に携帯可能な医療用輸液装置に関するものである。
【背景技術】
【０００２】
患者に薬物治療を行う場合、内服薬を除いて、薬物を人体に進入する投薬方法である静脈注射がよく見られている。患者に静脈注射を行う場合、注射針を静脈血管に挿入することが必要であり、且つ、医療用薬液バッグを注射位置より高い位置に放置しなければならない。例えば、一般的に、点滴は点滴用薬バッグをハンガーに吊り下げ、内部の薬液が薬液の自重により血管に送給されている。当該静脈注射方式は、点滴を行う間、医療用液体を有効に血管に送給するために、点滴バッグ或いは点滴ビンを常に注射位置より高い位置に保持しなければならない。そのため、体力があって歩行したい（例えば、トイレに行く）点滴中の患者にとって、移動するにはとても不便である。
【０００３】
腹膜透析にて腎臓治療を行う患者に対しても、前記のような事態が発生する。腹膜透析にて腎臓治療を行う方法は、透析液体を積み込むためのバッグを患者の腹腔に放置し、血液にある有害物が、腹膜を利用して血液から透析液へと拡散し、そして、ある一定時間を経て（通常には、３から４時間）、使用した透析液を腹部にある注液／排液口により体外に排出し、再び新しい透析液を注入することにより、一回の血液透析を完了する。このような腹膜透析による腎臓治療方式の優れた点は、患者が２、３日に病院に行って透析治療を行う必要がなく、遠距離の旅をすることが可能で、例えば、海外旅行或いは出張が可能である。一方で、腹腔に透析液を収容するための空間が少ないため、３〜４時間ごとに透析液を変更しなければならない。しかも、新しい透析液を注入するとき、同様に新しい透析液が装入されたバッグを患者の腹部より高い位置に吊り下げ或いは放置することが必要で、薬液の自重により新しい透析液を患者の腹腔に注入し、また、このような注入過程は約２０分がかかる。従って、旅行中の患者にとって、透析液バッグを吊り下げ或いは放置する高い場所を捜すことは（例えば、車或いは飛行機の中で）、非常に大変である。
【発明の開示】
【発明が解決しようとする課題】
【０００４】
従来の静脈注射及び腹膜透析を行う場合、点滴バッグ及び透析液バッグを高い所に吊って重力により液体を体内に注射／注入しなければならないため、患者にとって非常に不便で大変なことである。本願の発明者は、前記のような従来の欠点に鑑み、長い時間をかけて思考して絶間なく検討したり試みた結果、有効に従来の静脈注射及び腹膜透析に係る前記欠点を克服できる携帯型医療用輸液装置を発明した。
【０００５】
本発明の目的は、時間、場所、点滴バッグ／透析バッグの設置位置の高さに拘らずに、患者が有効且つ快速に、静脈注射／腹膜透析液を補充できる装置を提供することであり、これは、患者に係る行動上の便利性を向上し、患者に係る生活品質を改善する効果がある。
【課題を解決するための手段】
【０００６】
前記目的を達成するために、本発明は、
医療用薬液バッグ挿入ポートと少なくとも一つの液体排出ポートとを有するケース、及び前記ケースに連結され、前記医療用薬液バッグ挿入ポートを選択的に開閉する蓋を含む容器と、
前記容器内に移動可能に設置された押し板であって、第一位置と第二位置との間で移動可能であり、第一位置に位置すると、医療用薬液バッグを収納可能な空間が画成され、第二位置に移動すると、前記空間が最小の体積に縮減される押し板と、
前記押し板と係合するよう作動して、押し板を移動するのに必要なパワーを供給するパワー供給ユニットと、
前記容器上に設置されて、前記押し板を前記第一位置にロックしたり、このロックを解除するように操作されるロック及びロック解除部材と
を有する携帯型医療用輸液装置を提供する。
【０００７】
本発明の実施例によれば、前記パワー供給ユニットは、少なくとも螺旋バネからなるバネセットを一組含み、前記ケースは、前記押し板を第二位置にストップするためのストッパ部材をさらに含むものとすることが好ましい。
【実施例】
【０００８】
本発明を、添付する図面に基づいて、本発明の携帯型医療用輸液装置に係る実施例を用いて詳細に説明する。
【０００９】
図１は、本発明の携帯型医療用輸液装置に係る実施例を説明するための図で、本発明の携帯型医療用輸液装置１は、主に容器１０、押し板２０及びパワー供給ユニットとしての推力バネセット３０を含み、この実施例において、前記推力バネセットは四つの螺旋バネ３０を含む。
【００１０】
図２に示すように、本発明の容器１０は、主に上部開口部を有するケース、及びピン継手で前記ケースと接合し、前記ケースの上部開口部を開閉するように操作可能な蓋を含み、前記ケースは、一つの底部１１及び四つの側壁１２、１３、１４、１５から構成される。前記ケースの上部開口部は、医療用薬液バッグ挿入ポートとされ、医療用薬液バッグをここに放置／取出すためのものである。側壁１２及び１４には、それぞれ排液ポートとしての開口１７及び１８が設置されている。ケースの底部１１に四つのバネ固定部材１９が設置されている。また、ケースは、側壁１３及び１５に設置された押し板用のロック部材４０を含み、さらに側壁を通して前記ケースの内部に延伸し且つ斜面を有する係合舌状部４１を含む。ロック部材４０は、２本の復帰ばね４２付きのネジ４３を介して側壁１３、１５の上に固定されて操作される。図２に示すように、前記ケースは、それぞれ側壁１２、１４に設置された四つの押し板用のストッパ５０をさらに含む。ストッパ５０が押し板２０と接触して、押し板２０の上向き動作をストップする場合、該ストッパの位置が適切に選定されると、押し板２０の上面と側壁の頂面とを揃えることが可能である。この実施例において、ストッパは、四つのネジであり、回転しながらケース内に突出するように操作することにより、押し板をストップする機能があり、また該ストッパの定位が緩められることにより、押し板の組付け或いは分解を便利に行うことができる。なお、前記ケースは、蓋１６を用いてケースの開口を封鎖するときに蓋１６に設置された止着具６１（図７）と互いに係合される二つの止着具６０をさらに含み、これによって、蓋１６とケースとを緊密に結合する。
【００１１】
ここに、図３ａ及び図３ｂを参照して押し板２０の構造を説明する。押し板２０は、形状がケースの底部の形状と大体同じであり、面積がやや小さめにすることにより、円滑にケースの内部に移動させることが可能である。押し板の上表面において、押し板のストッパに対応する位置には、係止溝部２１が設置され、押し板のロック部材４０に対応する位置には、ロック溝部２２が設置されている。なお、押し板２０の底面において、ケースの底部にあるバネ固定部材１９に対応する位置には、これに応じたバネ固定部材２３が設置されている。
【００１２】
組立てを行う場合、まず、図４に示すように、推力バネセットにおける四つの推力バネ３０を、それぞれケースの底部に位置するバネ固定部材１９に設置する。次いで、ストッパ５０を回転させながらストップ位置を側壁１２、１４に退けさせる。そして、押し板を推力バネの上に設置して、押し板２０がロック部材４０により図５に示す第一位置にロックされるまで下方へ押し、そしてストッパをストップ位置に挿入する。押し板が図５に示す第一位置にロックされると、医療用薬液バッグ（例えば、静脈注射液バッグ或いは腹膜透析液バッグ）を収納することが可能な空間が形成され、このとき医療用液体を内装したバッグを、ケースに放置することが可能になる。該バッグの排液口をケースにある排液ポートのいずれかに配置し、それは例えば、排液ポート１８（図５では点線で示す部分）であり、そして、蓋１６を閉めて止着具６０、６１を互いに掛けることにより、図７に示すスタンバイ状態になる。
【００１３】
液体を配送する場合、ロック部材４０をケースの外部に引っ張ることにより、係合舌状部４１と、押し板２０に設置されたロック溝部２２とを脱離させればよい。このとき、押し板２０が推力バネセット３０における四つのバネの弾力により上方に推され、また、この推力が平均的に該医療用薬液バッグに加えられることにより、該バッグ内の医療用液体が押し出され、こうして静脈注射或いは腹膜透析の液体を補充することができる。
【００１４】
ストッパ部材５０が押し板をストップするときに押し板とケースにおける壁部の頂面とを揃えるよう設置されることにより、医療用薬液バッグ内の液体を完全に押し出すことを確保できる。バッグ内の液体を使い果たした場合、単にロック部材６０、６１を解除して、蓋１６を開けて空きバッグを取り出すことができる。このとき、押し板を手で推して再度ロック部材４０により第一位置にロックされると、次の使用準備が完成できる。
【００１５】
本発明の携帯型医療用輸液装置は、自発的に加圧する設計により、静脈注射或いは腹膜透析液注射に必要な圧力を自発的に提供することが可能で、従って、静脈注射を行う場合或いは腹膜透析液を補充する場合、医療用液体を内装したバッグを高い位置に放置したり、注射位置より高い位置に保持する必要がなくなり、医療用液体バッグを内装した本発明の携帯型医療用輸液装置を、どんな位置に放置することも可能で、即ち、放置位置が患者に注射する位置より低くても、静脈注射或いは腹膜透析液の補充に係る有効な実施に影響しない。言い換えれば、本発明の携帯型医療用輸液装置が空間や高度に制限されない、どんな所でも静脈注射及び腹膜透析の補充を行うことが可能である利点がある。なお、本発明の携帯型医療用輸液装置が巧みに設計されることにより、バッグに入れて携帯することが可能で、行動上の不便或いは悩みにならない。よって患者に係る行動上の便利性を向上し、患者に係る生活品質を改善することに至る。
【００１６】
本発明を、代表される実施例及び図面に基づいて説明したが、これら実施例は単に本発明の例で、本発明は前記実施の形態に限定されるものではなく、その要旨を逸脱しない範囲で種々変更可能であることはいうまでもない。
【図面の簡単な説明】
【００１７】
【図１】本発明の携帯型医療用輸液装置の実施例を説明する分解立体図である。
【図２】本発明の携帯型医療用輸液装置のケースを説明する立体図である。
【図３ａ】本発明の携帯型医療用輸液装置の押し板を説明する上面図である。
【図３ｂ】本発明の携帯型医療用輸液装置の押し板の底面図である。
【図４】本発明の携帯型医療用輸液装置において推力バネがケースに設置された状態を示す立体図である。
【図５】本発明の携帯型医療用輸液装置を組み立てた立体図で、押し板がロック部材により第一位置に固定された状況を示す。
【図６】本発明の携帯型医療用輸液装置を組み立てた他の立体図で、押し板が推力バネにより第二位置に推された状況を示す。
【図７】本発明の携帯型医療用輸液装置の使用状態を説明する立体図。
【符号の説明】
【００１８】
１０  容器
１１  底部
１２、１３、１４、１５  側壁
１６  蓋
１７、１８  開口（排液ポート）
１９  バネ固定部材
２０  押し板
２１  係止溝部
２２  ロック溝部
３０  推力バネ（螺旋バネ）
４０  ロック部材
４１  舌状部
４２  復帰ばね
４３  ネジ
５０  押し板用のストッパ
６０、６１  止着具
【図１】
2006346436.tif 000003
【図２】
2006346436.tif 000004
【図３ａ】
2006346436.tif 000005
【図３ｂ】
2006346436.tif 000006
【図４】
2006346436.tif 000007
【図５】
2006346436.tif 000008
【図６】
2006346436.tif 000009
【図７】
2006346436.tif 000010